(57)【要約】複雑なパネル形状を利用して使用するパネルの合計枚数、継ぎ目の数および継ぎ目の合計長さを最小化する。パネル形状の複雑さの増大は、パネルの裁断をより困難にし、しばしばより多くの材料の廃棄をもたらすが、パネルの枚数の低減および継ぎ目の数と継ぎ目の合計長さの低減は、衣服の製造を簡素化し、向上した衣服をもたらす。衣服製造の簡素化は、一般に製造効率の増加をもたらす。また、継ぎ目長さおよび継ぎ目の数の低減は、継ぎ目の摩耗または断裂の危険を低減する。
2006517262.tif 000002
【特許請求の範囲】
【請求項１】
胴部を有する布地の第１パネルを含み、
前記胴部は、着用者の体のウエスト部分を実質的に囲むように形成され、
前記胴部は、体の脇の下部分に継ぎ目が存在しないように、完成した衣服において体の脇の部分に向かって外側に延伸するように構成した上部を有するぴったりした衣服。
【請求項２】
前記第１パネルは、前記胴部と一体に形成した脚部をも有し、
前記脚部は、それぞれ、少なくとも体の脚の上部を実質的に囲むように構成されている請求項１に記載のぴったりした衣服。
【請求項３】
さらに、前記第１パネルに接合され、第１腕部および第１上背部を有する第２パネルを含み、
前記第１腕部は、袖を形成し、
前記第１上背部は、少なくとも体の背中上部を横断して延伸するように構成されている請求項１に記載のぴったりした衣服。
【請求項４】
さらに、前記第１パネルに接合され、第２腕部および第２上背部を有する第３パネルを含み、
前記第２腕部は、第２の袖を形成し、
前記第１上背部は、少なくとも体の背中上部を横断して延伸するように構成されており、体の背骨部分に隣接して前記第１上背部と合わさる請求項３に記載のぴったりした衣服。
【請求項５】
さらに、前記第１パネルに接合され、一体に形成した複数の腕部、複数の上背部および胸部を有する第２パネルを含み、
完成した衣服において、前記腕部は両袖を形成し、
前記上背部は、前記両袖の間で体の背中上部を横断してそれらの背骨部分で合わさり、
前記胸部は、前記両袖の間で体の胸部を横断して延伸する請求項１に記載のぴったりした衣服。
【請求項６】
前記脚部は、それぞれ、完成した衣服において体の内膝部分の継ぎ目から始まって外側ふくらはぎ部分で終わるダーツを含む請求項２に記載のぴったりした衣服。
【請求項７】
継ぎ目が、股から内側大腿部および前記膝部分を下り、前記ふくらはぎの後部に沿って足首まで延伸する請求項６に記載のぴったりした衣服。
【請求項８】
前記ダーツは、前記内膝部分から、前記膝の前部を越え、前記ふくらはぎの外側を下りて延伸する請求項７に記載のぴったりした衣服。
【請求項９】
前記袖は、それぞれ肘部分で、前記袖の前腕部が前記袖の上腕部に対して角度を形成するような曲がりを有し、
前記曲がりは、完成した衣服において前記上腕部の上側後方に位置する継ぎ目から始まって前記肘部分に隣接して終わるダーツにより部分的に与えられている請求項３に記載のぴったりした衣服。
【請求項１０】
人体の形状にぴったり一致するように構成した脚部を含み、
前記脚部は、それぞれ、布地の１枚のパネルで作られ、完成した衣服において体の内膝部分の継ぎ目から始まって外側ふくらはぎ部分で終わるダーツを含むぴったりした衣服。
【請求項１１】
継ぎ目が、股から内側大腿部および前記膝部分を下り、前記ふくらはぎの後部に沿って足首まで延伸する請求項１０に記載のぴったりした衣服。
【請求項１２】
前記ダーツは、内膝部分から、膝の前部を越え、ふくらはぎの外側を下りて延伸する請求項１０に記載のぴったりした衣服。
【請求項１３】
人体にぴったりと一致し、その肘部分に曲がりを有する一対の袖を有し、
前記曲がりは、前記袖の前腕部が前記袖の上腕部に対して角度を形成するように構成され、
前記袖は、それぞれ、１枚の布地のパネルで作られ、
前記曲がりは、完成した衣服において、前記上腕部の上側後方に位置する継ぎ目から始まって前記肘部分に隣接して終わるダーツにより部分的に与えられているぴったりした衣服。
【請求項１４】
両袖は、衣服の胸部および上背部と共に１つの布地で作られている請求項１３に記載のぴったりした衣服。
【請求項１５】
前記衣服は、ウエットスーツである請求項１に記載のぴったりした衣服。
【請求項１６】
前記衣服は、ウエットスーツである請求項１０に記載のぴったりした衣服。
【請求項１７】
前記衣服は、ウエットスーツである請求項１３に記載のぴったりした衣服。
【請求項１８】
着用者の胴に着用されるのに適合し、
少なくとも着用者のウエスト、脇の下および腕の一部分を覆い、
複数の分離されたパネルと、前記パネルを互いに接合した複数の継ぎ目とからなり、
着用者の腕およびウエストの少なくとも一部分を覆う１枚のパネルで形成した脇の下部分を包含するぴったりした衣服。
【請求項１９】
前記パネルは、着用者の脚の一部分を覆うのにも適合した請求項１８に記載のぴったりした衣服。
【請求項２０】
複数のパネルを継ぎ目で互いに接合してなり、前記継ぎ目は合計長さが３２フィート未満であるウエットスーツ。
【請求項２１】
前記継ぎ目は、合計長さが２７フィート未満である請求項２０に記載のウエットスーツ。
【請求項２２】
前記継ぎ目は、合計長さが２５フィートから２７フィートの間である請求項２０に記載のウエットスーツ。
【請求項２３】
複数の互いに接合したパネルからなるウエットスーツであって、
スーツの脇部分に位置する継ぎ目がなく、脇腹または脇のガセットを含まないウエットスーツ。
【請求項２４】
複数の互いに接合したパネルからなるウエットスーツであって、
首専用のパネルを除いて、スーツの胴部を形成するのに使用する合計のパネル枚数が５枚以下であるウエットスーツ。
【請求項２５】
前記パネル枚数が３枚である請求項２４に記載のウエットスーツ。
【請求項２６】
胴部を有する第１パネルを１枚の布地から切り出すステップを含み、
前記胴部は、着用者の体のウエスト部分を実質的に囲むのに適合し、
前記胴部は、体の脇の下部分に継ぎ目が存在しないように、完成した衣服において体の脇の部分に向かって外側に延伸するように構成した上部を有するぴったりした衣服の製造方法。
【請求項２７】
前記第１パネルは、前記胴部と一体に形成した脚部をも有し、
前記脚部は、それぞれ、少なくとも体の脚の上部を実質的に囲むように構成されている請求項２６に記載の方法。
【請求項２８】
ａ）  共に一体に形成した腕部および上背部を有する第２パネルを１枚の布地から切り出すステップと、
ｂ）  前記腕部が袖を形成し、前記上背部が少なくとも体の背中上部を横断して延伸するように、前記第２パネルを前記第１パネルに接合するステップとをさらに含む請求項２６に記載の方法。
【請求項２９】
ａ）  複数の腕部、複数の上背部および胸部を有する第２パネルを１枚の布地から切り出すステップと、
ｂ）  前記腕部が両袖を形成し、前記上背部が前記両袖の間で体の背中上部を横断してそれらの背骨部分で合わさり、前記胸部が前記両袖の間で体の胸部を横断して延伸するように、前記第２パネルを前記第１パネルに接合するステップとをさらに含む請求項２８に記載の方法。
【発明の詳細な説明】
【技術分野】
【０００１】
本願は、２００２年６月５日に出願したオーストラリア仮特許出願ＰＳ２７９６号の利益を主張し、これを参照することでその全体を個々に組み入れる。
【０００２】
本発明は、着用者の体型にぴったり一致するように意図したタイプのぴったりした衣服全般に関する。本発明は、そのような衣服の製造方法にも関する。
【０００３】
本発明は、サーフィン、ウインドサーフィン、ウォータースキー、ダイビング、水泳または同様の活動のようなウォータースポーツに使用するウエットスーツの製造という特定用途を有する。
【背景技術】
【０００４】
ぴったりした衣服は、着用者の体型にぴったり一致するタイプの衣類である。ウエットスーツは、そのような衣類の一例であって、衣類がぴったり合うことは、衣類の布地と体の肌との間に薄い水の層を形成することを助ける。この水の薄い層は、ウエットスーツが提供する保温の主要な部分を形作る。このため、一度最初の層が確立されて体によって暖められたなら、ウエットスーツに新たな水が浸入しないことが好都合である。
【０００５】
ウエットスーツのようなぴったりした衣服は、縫い合わされ、場合によってはのり付けされた継ぎ目で互いに繋ぎ合わされた複数のパネルで構成される。着用者の体型にぴったりと一致するように「自由曲面で構成された（sculptured）」ウエットスーツまたは他の衣服を製造するのに、多様な形状と大きさの複数のパネルが使用される。着用者の体型にぴったりと一致する結果として、もしそれらが着用者の体および／または体の一部分で満たされていれば、衣服の異なる部分が度々触れられることになる。このため、衣服の「肘」または「肘の部分」は、衣服を着たときに着用者の肘に隣接する。この用語は、もしパネルが実際に衣服の部分になっていなくても、および、もしパネルが机のような支持平面上に平らに置かれていても、しばしばパネルに適用される。
【０００６】
ここで使用するパネルという用語は、特に、パネルのいかなる部分もパネルの他の部分と重ならないように平面上に平らに置ことができる望ましい形に切断した一片の材料を含む。パネルの材料は、布地を含むが、織った材料に限定する必要はない。平らな面上に引き延ばされたとき、一般に、パネルは明らかに厚みよりも表面積が増加する（厚みはパネルの面の法線方向に測定され、そして、表面積は平らな面に平行に接近したパネルの表面で測定される）。パネルは、一般に、時には長方形片の材料として提供される反物またはヤード単位の布から裁断され、廃棄物を最小化するために１つの材料から裁断された複数の、しばしば異なる形状のパネルである。
【０００７】
パネルは、継ぎ目で互いに接合され、２つ以上のパネルを継ぎ合わせている継ぎ目は衣服の一部分である。パネルを互いに繋ぎ合わせて衣服を形成する多様な方法はよく知られているのでここに記載する必要はない。しかしながら、おそらくウエットスーツに関しては、特に「こはぜ継ぎ」、「かがり縫い」、「のり付けとまつり縫い」および／または「熱接着テープ」の技術を組み入れた継ぎ目が注目に値する。これらの技術は、一般に商業利用されているのでここでさらに詳細に説明する必要はない。継ぎ目は、一般に強くて信頼性があるが、ウエットスーツの長期の使用による摩耗と損傷に影響を受けやすい。継ぎ目は、ウエットスーツへの水の浸入源にもなり、この要素はウエットスーツの着用者の体温を維持する効果を著しく低減させ得る。
【０００８】
一般に、衣服は複数種類のパネルからなる。ここで関心があるのは外側を覆うパネルである。これらのパネルは、典型的には、（ａ）下着、内側のパネル又は着用者の体の部分を覆うのに使用され、そして、（ｂ）衣服の外側表面を形成する、衣服のパネルである。ウエットスーツのような簡素な外側を有する衣服において、パネルを覆う外側は、衣服の外側表面の全て、さもなくば、大部分を形成する。他の衣服のパネルは、ポケット、フラップおよび裏地を形成するのに使用されるもの、或いは、外側のフリルまたは装飾を形成するのに使用されるものを含んでもよい。「パネル」という用語は、一般に全ての種類のパネルを含むが、以下、ここでは、外側を覆うパネルだけを指すのに使用する。同様に、継ぎ目は、全ての種類のパネルを継ぐのに使用されるが、「継ぎ目」という用語は、以下、ここでは外側を覆う継ぎ目、すなわち、外側を覆うパネルを接合する継ぎ目を指す。
【０００９】
いくつかの衣服は、「ダーツ」（一般に先細りのひだ）を利用して衣服の具合を調節する。そのようなダーツは、特に、それが１つに繋ぎ合わせた別々のパネルの端の一部でなければ、１枚のパネルの２つ以上の点を集めた接続からなる。残念ながら、伝統的なダーツはパネルの厚みを増加させ、パネルの折り返した部分が衣服の適切な装着を阻害しがちであるので問題になりやすい。
【００１０】
衣服を製造するのに使用される多くの布地がよく知られており、それ故、ここで詳細に説明する必要はない。しかしながら、ウエットスーツの製造に使用される典型的な布地は、ネオプレン（非繊維ゴム）の保温層が接着されたナイロン、スパンデックス、ポリオレフィンまたはこれらの材料の組合せを含むことが注目に値する。多様な厚みの布地がウエットスーツを評価する温度によって採用される。これは、サーフィンのような活発な活動におけるウエットスーツには重要である。これらの材料は一般に柔軟性と伸縮性があり、着用者の自由な動きを可能にする。ウエットスーツの継ぎ目を作り出すのに採用される技術は、柔軟性と伸縮性をも提供するが、継ぎ目は布地が繋ぎ合わされているので、時折柔軟ではない。
【００１１】
最新の主としてサーフィン用を意図するウエットスーツは、時折、サーフボードの上に横たわったり立ったときに着用者の腕および脚の正常な位置にさらに正確に合致するために肘および膝に曲がりが設けられている。これは着用者には長所であるが、ウエットスーツは、互いに繋ぎ合わせたときに望ましい３次元の体型および望ましい肘と膝の角度を形成するような適当な形状と大きさのさらなるパネルを含まなければならないことを意味する。
【発明の開示】
【発明が解決しようとする課題】
【００１２】
本発明の概略的課題は、複雑なパネルの形状を使用して、使用するパネルの総数、継ぎ目の数および合計継ぎ目長さを最小化することである。パネルの形状の複雑さを増加するとパネルの裁断が困難でしばしばより多い材料の廃棄をもたらすが、パネルの数を低減および継ぎ目の数と合計継ぎ目長さを低減すると実際に衣服の製造を簡素化と衣服の向上をもたらすことを熟考した。言い換えると、衣服製造の簡素化は一般に製造効率の増加をもたらす。継ぎ目長さおよび継ぎ目の数の低減は、継ぎ目の摩耗または分裂の危険をも低減する。
【００１３】
パネルと継ぎ目を低減することで向上した衣服の１つの種類はウエットスーツである。パネルの数と継ぎ目長さを低減したウエットスーツは、概して、従来のウエットスーツよりもサーファーを暖かく保ち、快適で柔軟である。継ぎ目長さの低減はスーツ内への水の浸入を減らし、水の浸入の低減はサーファーの暖かさを増大する。
【課題を解決するための手段】
【００１４】
大体において、ここでは、衣服の多様な局面を説明するのに好ましくするのに、ウエットスーツ上のフリルおよびその他の外側の装飾が欠如したウエットスーツを使用して、特許請求する発明を説明する。しかしながら、本発明の局面は衣服全般に広く適用できる。
【００１５】
本発明の１つ局面は、胴部を有する布地の第１パネルを含むぴったりした衣服を提供する。胴部は、着用者の体のウエスト部分を実質的に囲むように形成され、そして、胴部は、体の脇の下部分に継ぎ目が存在しないように、完成した（全てのパネルが縫い合わされた）衣服において体の脇の部分に向かって外側に延伸するように構成した上部を有する。この局面に合致して製造したウエットスーツは、体のウエスト部分の周りに必要な継ぎ目を少なくし、体の脇の下から継ぎ目を完全になくす。これらの特徴は、暖かさと快適さに関して大きな長所を与える。
【００１６】
１つの実施形態において、衣服の第１パネルは、胴部と一体に形成した脚部をも含む。こうして、衣服の継ぎ目はさらに少なくなる。好ましくは、各脚部は、少なくとも体の脚の上部を実質的に囲むように構成されている。しかしながら、脚部は足首まで垂れ下がって脚全体を囲ってもよい。
【００１７】
好ましい実施形態において、衣服は、第１パネルに接合され、共に一体に形成した第１腕部および第１上背部を有する第２パネルを含む。第１腕部は、衣服の長短いずれの袖を形成してもよく、そして、第１上背部は、好ましくは、少なくとも体の背中上部を横断して延伸するように構成される。共に一体に形成した第２腕部および第２上背部を有する第３パネルは、第１パネルと接合してもよい。第２腕部は、好ましくは、長短いずれかの第２の袖を形成し、そして、第２上背部は好ましくは、少なくとも体の背中上部を横断して延伸するように構成され、体の背骨部分に隣接して第１上背部と合わさってもよい。ジッパーは、第１上背部および第２上背部の間に設けられ、ジッパーが下げられたとき、すなわち、ジッパーが開けられたときに着用者が容易に衣服を着たり脱いだりできるようにする。ジッパーの位置と機能は従来のウエットスーツと同じでよい。
【００１８】
好ましい衣服の形態の代案において、第２パネルは、第１パネルに接合され、一体に形成した複数の腕部、複数の上背部および胸部を有する。完成した衣服のこの形態において、腕部は両袖を形成し、上背部は、両袖の間で体の背中上部を横断して背骨部分でそれらが合わさり、そして、胸部は、両袖の間で体の胸部を横断して延伸する。このようにして、衣服の継ぎ目の数はさらに低減され、それにより、衣服の保温性能、快適性および柔軟性がさらに向上する。
【００１９】
本発明の他の局面は、人体の形状にぴったりと一致するように構成された脚部を含む衣服を提供し、脚部は、それぞれ、１枚の布地のパネルで作られ、完成した衣服において体の内膝部分の継ぎ目から始まって外側ふくらはぎ部分で終わるダーツを含む。ここで使用する「ダーツ」という用語は、１枚のパネルの複数部分を互いに接合する伝統的なダーツと同じである。しかしながら、接合部分は、パネル内で折り返すことで切り離さないのではなく、１枚のパネルの複数の端を接合することで形成する。そのように、ダーツにより形作られるべきパネルは、接合すべき点がパネルの２以上の端部またはその近くに位置するように、互いに接合すべき点を分離する切除された領域を有する。そのような端部は、しばしば、パネルが平面に接して引き延ばされたときにパネルの隙間の対辺を形成する。ダーツは、ここでは一般に、ダーツの端部或いはダーツの長さに沿ったパネルの部分について説明される。各ダーツに対応する切除された領域が同様に説明されるため、ダーツの位置に関するいかなる説明も、対応するダーツの隙間／切除された領域に適用できる。
【００２０】
そのような衣服の脚部は、膝とふくらはぎの部分のダーツを使用して人体の形状にさらにぴったりと一致する。好ましくは、ダーツおよび対応する切除された領域は、内膝部分から、膝の前部を越え、ふくらはぎの外側に下りて延伸する。これは、衣服の望ましい３次元形状を作り出すのを助ける。
【００２１】
本発明のこの局面にかかる衣服は、脚の膝部分で、太ももがふくらはぎ／すねの部分に対して角度を形成するような曲がりを作り出すダーツを採用してもよい。このようにして、衣服の脚部は、衣服の脚部に追加のパネルを導入する必要がなく、サーファーの脚の通常の位置を反映してより一致するように構成できる。
【００２２】
本発明のさらなる局面は、人体にぴったりと一致し、その肘部分に曲がりを有する一対の袖を有し、曲がりは、袖の前腕部が袖の上腕部に対して角度を形成するように構成され、袖は、それぞれ、１枚の布地のパネルで作られ、曲がりは、完成した衣服において、上腕部の上側後方に位置する継ぎ目から始まって肘部分に隣接して終わるダーツにより部分的に与えられているぴったりした衣服を提供することである。
【００２３】
本発明のこの局面によって作られた衣服は、腕の形状および通常位置をより正確に反映する袖を含むが、同時に、布地のパネル追加およびそれらに関連して必要な継ぎ目の必要性を回避する。
【００２４】
本発明のやはりさらなる局面は、胴部を有する第１パネルを１枚の布地から切り出すステップを含み、胴部は、着用者の体のウエスト部分を実質的に囲むのに適合し、胴部は、体の脇の下部分に継ぎ目が存在しないように、完成した衣服において衣服形状の体の脇の部分に向かって外側に延伸するように構成した上部を有するぴったりした衣服の製造方法を提供する。
【００２５】
好ましくは、第１パネルは、胴部と一体に形成した脚部をも含む。脚部は、それぞれ、好ましくは少なくとも体の脚の一部分を実質的に囲むように構成される。
【００２６】
この方法の好ましい実施形態は、共に一体に形成された腕部および上背部を有する第２パネルを１枚の布地から切り出すステップと、その後、腕部が袖を形成し、上背部が少なくとも体の背中上部を横断して延伸するように、第２パネルを第１パネルに接合するステップとを含む。
【００２７】
好ましい実施形態の代案において、この方法は、複数の腕部、複数の上背部および胸部を有する第２パネルを１枚の布地から切り出すステップと、その後、腕部が両袖を形成し、上背部が両袖の間で体の背中上部を横断してそれらの背骨部分で合わさり、胸部が両袖の間で体の胸部を横断して延伸するように、第２パネルを第１パネルに接合するステップとを含む。
【発明の効果】
【００２８】
本発明の衣服の開発において、発明者は、従来の考え方に反し、継ぎ目を少なくするために布地の利用率を無視した。そうして、よりよい機能を有し、暖かく、水の浸入の危険性が低く、圧迫する継ぎ目が少ないので摩耗の危険性が低く、修理を要する危険性が低いウエットスーツが作り出された。本発明に従って製造したウエットスーツはより多くの布地を必要とし、それによりコストが増加するが、このコスト増は、裁断と縫合が少ないことによる、より速い製造工程によって相殺される。本発明に従って製造したウエットスーツには他のスーツと同じ量の布地が存在するが、相対的に一体性を保つ独自の形状のために多くの廃棄を出す。
【００２９】
本発明に従って製造したウエットスーツは、スーツの低減した接着剤の量および低減した継ぎ目の長さのために、従来のウエットスーツよりも僅かに軽くてもよい。例として、出願人の従来の「ＭＸ」シリーズスーツが４５フィートの継ぎ目を有し、リップカール製「エラスト(Elasto)」スーツが約３４フィートの継ぎ目を有するのと比較して、本発明の好ましい実施形態に従って製造したＭサイズのウエットスーツは、２２’２．５”の継ぎ目を有する。
【００３０】
本発明に従った衣服は一般に合計継ぎ目長さが低減されていることが意図される。ウエットスーツに関して、実施形態は、一般に、Ｓサイズの全身（full length）スーツでは３１フィート未満、Ｍサイズの全身スーツでは３２フィート未満、Ｌサイズの全身スーツでは３５フィート未満の長さの継ぎ目を有する。好ましいウエットスーツは、Ｓサイズの全身スーツでは２６フィート未満、Ｍサイズの全身スーツでは２７フィート未満、Ｌサイズの全身スーツでは２９フィート未満の合計長さの継ぎ目を有することが意図される。さらに、より好ましいウエットスーツは、ＸＳサイズの全身スーツではおよそ２１’２．５”、Ｓサイズの全身スーツではおよそ２１’８．５”、Ｍサイズの全身スーツではおよそ２２’２．５”、Ｌサイズの全身スーツではおよそ２２’９．５”、ＸＬサイズの全身スーツではおよそ２３’４．５”、ＸＸＬサイズの全身スーツではおよそ２４’、ＸＸＸＬサイズの全身スーツではおよそ２４’７．５”の合計長さの継ぎ目を有することが意図される。
【００３１】
「全身（full length）」という用語は、ここでは、着用者の腕の大部分を覆って着用者の手首まで延伸し、着用者の脚の大部分を覆って着用者の足首まで延伸するスーツを表すのに使用する。短い腕および／または脚を有するスーツは、一般に相対的に短い合計継ぎ目長さを有する。「Ｓサイズ」という用語は、ここでは、およそ身長５’９”で体重１４５ポンドの着用者に合う大きさのスーツを表すのに使用される。「Ｍサイズ」という用語は、ここでは、およそ身長５’１０”で体重１６０ポンドの着用者に合う大きさのスーツを表すのに使用される。「Ｌサイズ」という用語は、ここでは、およそ身長５’１１”で体重１８０ポンドの着用者に適合する大きさのスーツを表すのに使用される。
【００３２】
本発明の衣服は、少ない継ぎ目と、そのために途中に継ぎ目のない大きな連続する布地の表面積とを有し、新たな図形／ロゴおよび印刷の可能性を与える。
【００３３】
本発に従う衣服は、個々のパネルの複雑さまたは各パネルに使用する材料の量、および、裁断時の材料の廃棄量以上に、最小の合計継ぎ目長さを優先する方法を使用して設計してもよい。
【００３４】
本発明のさらなる理解を助けるため、今、本発明の好ましい実施形態を説明する添付した図を参照する。これら実施形態は説明のためだけに与えられ、本発明はこの説明に限定されない。
【発明を実施するための最良の形態】
【００３５】
今、図を参照すると、図１は、出願人が製造した標準の「ＭＸ」シリーズウエットスーツを示す。スーツは、合わさって曲がった腕と脚部を有するウエットスーツを形成する１２枚の分離したパネルでできている。スーツは、腕パネル１０、背パネル１２、尻パネル１４、下腿パネル１６，胸パネル１８、前胴パネル２０、膝パネル２２、下腿パネル２４、股パネル２６、ガセットパネル２８、襟パネル３０、首パネル３２および３４を含む。継ぎ目の合計長さ（先に記載したように、外側を覆う継ぎ目）は、この型のＭサイズのウエットスーツで合計４５フィートに達する。
【００３６】
今、図２および図３Ａから３Ｃを参照すると、本発明の好ましい実施形態によって製造したウエットスーツが示される。この実施形態は、７枚のパネル（先に記載したように、外側を覆うパネル）でできている。胴部４０を有する第１パネル３８は、着用者のウエスト部分を囲むように形作られている。胴部４０の２つの側部４２，４２’は、体の下側の背骨部分で合わせて接合される。胴部４０は、完成した衣服（図３Ａから３Ｃ）において、体の脇の下部分に継ぎ目が存在しないように、外側に、体の脇部分に延伸するように構成されている上部４３，４３’，４４，４４’，４５および４５’を有する。第１パネル３８は、胴部４０と共に一体に形成した脚部４６、４６’，４８，４８’をも含む。各脚部は、体の内膝部分の継ぎ目５２，５２’から始まり、体の外側ふくらはぎ部分の５０，５０’で終わるダーツを含む。ダーツが内膝部分から延伸し、膝の上を通過してふくらはぎの外側に下降することが図３Ａから３Ｃに見ることができる。
【００３７】
図示するように、図２および図３Ａ〜３Ｃのウエットスーツは、互いに継ぎ合わせられた複数のパネルを有しながら、スーツの脇の部分に継ぎ目がなく、脇腹または脇のガセットを含まない。
【００３８】
衣服は、第１腕部５６および上背部５８を有する第２パネル（図２）をも含む。第３パネル６０は、第２腕部５６’および第２上背部５８’を有する。第２パネルおよび第３パネルの上背部５８および５８’は、背骨部分のジッパー６２で合わせられる。腕部５６，５６’は、着用者の体型にぴったりと合致するように構成された袖の対を形成する。各袖は、前腕部は上腕部に対して角度を形成するようにその肘部で曲がる。この肘での曲がりは、少なくとも部分的に、上腕部の上部後方に位置する継ぎ目の６２で始まり、肘部分に隣接する６４で終わるダーツによって与えられる。
【００３９】
胸パネル６６は、第１パネル３８に接合され、第２パネルおよび第３パネル５４，６０の間に延伸する。胴部４０の上部４３、４３’の形状と配置は、胸部６６の形状と配置と共に変化させて要求される３次元の衣服の形状を達成できる。
【００４０】
最後に、股パネル６８、前首パネル７０および後首パネル７２はウエットスーツを完成させる。
【００４１】
継ぎ目の合計長さは、本発明の実施形態によって製造したＭサイズのウエットスーツにおいて、およそ２１フィートになる。これは、図１に示した出願人の従来の「ＭＸ」シリーズウエットスーツに見られる４５フィートの継ぎ目よりも著しく短い。
【００４２】
今、図４および、図５Ａから５Ｃを参照すると、他の、より好ましい本発明の実施形態が示される。これらの図では、図２および図３から３Ａでウエットスーツの同じ部分、部位およびパネルを参照するのに使用したのと同じ参照番号が使用されている。本実施形態の主な違いは、本実施形態に主要なパネルが２枚だけ存在するように、先の実施形態の腕部と胸部が１枚の布地で形成されていることである。実際、完成したウエットスーツには５枚のパネルだけが存在する。
【００４３】
この実施形態において、第１パネル３８は、着用者の体のウエスト部分を囲むように形作られた胴部４０を有する。胴部４０は、完成した衣服において、体の脇の下部分に継ぎ目が存在しないように、体の脇の部分に向かって外側に延伸するように構成されている上部４３，４３’，４４，４４’，４５および４５’を有する。第２パネル７８は、一体に形成した腕部５６，５６’、上背部５８，５８’および胸部６６を含む。腕部５６，５６’は、袖の対を形成し、上背部５８，５８’は体の背中を横断してジッパー６２で合わせられ、胸部６６は袖の間で体の胸部を横断して広がる。
【００４４】
図２および図３Ａから３Ｃに示す実施形態のように、図４および５Ａから５Ｃのウエットスーツは、要求される着用者の体に合致する形状と肘および膝関節の望ましい角度とを生み出すように、腕部および脚部にダーツを含む。これらダーツの形状および大きさを変化させて、望ましい形状および肘／膝関節の角度を生み出せることは評価されるだろう。
【００４５】
本発明のこの実施形態により製造したＭサイズのウエットスーツは、およそ１７フィートの継ぎ目を有し、それ故、さらに、継ぎ目からウエットスーツに水が浸入する可能性を低減させ、継ぎ目の摩耗と損傷の受けやすさを低減する。
【００４６】
本発明の好ましい実施形態をここに詳細に説明したが、当業者は、本発明の精神または添付の特許請求の範囲から逸脱することなく変形ができることを理解するだろう。
【００４７】
例えば、ダーツの形状、長さおよび位置を要求により変形して、望ましい３次元の体型と肘および膝の望ましい角度を有するウエットスーツのような衣服を製造することができる。胸部分の深さも、図３Ａおよび図５Ａに表現される実施形態を比較することで分かるように変化させられる。短い袖や脚を有するウエットスーツを製造でき、そのようなウエットスーツは、本発明の全ての局面を組み入れなくても、依然としてそこにいくつかの局面を利用することも評価されるだろう。そのようなウエットスーツは、明らかに本発明の範囲の中に入ると考えられる。
【図面の簡単な説明】
【００４８】
【図１】出願人の従来の「ＭＸ」シリーズウエットスーツを作るのに使用する型。
【図２】本発明の好ましい実施形態にかかる全身ウエットスーツを作るのに使用する型。
【図３Ａ】図２に示す型を使用して作った完成したウエットスーツの前面図。
【図３Ｂ】図２に示す型を使用して作った完成したウエットスーツの背面図。
【図３Ｃ】図２に示す型を使用して作った完成したウエットスーツの側面図。
【図４】本発明の他の好ましい実施形態にかかる全身ウエットスーツを作るのに使用する型。
【図５Ａ】図４に示す型を使用して作った完成したウエットスーツの前面図。
【図５Ｂ】図４に示す型を使用して作った完成したウエットスーツの背面図。
【図５Ｃ】図４に示す型を使用して作った完成したウエットスーツの側面図。
【図１】
2006517262.tif 000003
【図２】
2006517262.tif 000004
2006517262.tif 000005
【図４】
2006517262.tif 000006
2006517262.tif 000007
【手続補正書】
【提出日】平成15年10月9日(2003.10.9)
【手続補正１】
【補正対象書類名】特許請求の範囲
【補正対象項目名】全文
【補正方法】変更
【補正の内容】
【特許請求の範囲】
【請求項１】
着用者の体のウエスト部分を実質的に囲むように形成した胴部を有する布地の第１パネルを含み、
前記第１パネルは、体の脇の下部分に継ぎ目が存在しないように、完成した衣服において体の脇の部分に向かって外側に延伸するように構成した上部をも有するぴったりした衣服。
【請求項２】
前記第１パネルは、前記胴部と一体に形成した脚部をも有し、
前記第１パネルの前記脚部は、それぞれ、少なくとも体の脚の上部を実質的に囲むように構成されている請求項１に記載のぴったりした衣服。
【請求項３】
さらに、前記第１パネルに接合され、第１腕部および第１上背部を有する第２パネルを含み、
前記第２パネルの前記第１腕部は、袖を形成し、
前記第２パネルの前記第１上背部は、少なくとも体の背中上部を横断して延伸するように構成されている請求項１に記載のぴったりした衣服。
【請求項４】
さらに、前記第１パネルに接合され、第２腕部および第２上背部を有する第３パネルを含み、
前記第３パネルの前記第２腕部は、第２の袖を形成し、
前記第３パネルの前記第１上背部は、少なくとも体の背中上部を横断して延伸するように構成されており、体の背骨部分に隣接する前記第２パネルの前記第１上背部と合わさる請求項３に記載のぴったりした衣服。
【請求項５】
さらに、前記第１パネルに接合され、一体に形成した複数の腕部、複数の上背部および胸部を有する第２パネルを含み、
完成した衣服において、前記第２パネルの前記腕部は両袖を形成し、
前記第２パネルの前記上背部は、前記両袖の間で体の背中上部を横断してそれらの背骨部分で合わさり、
前記第２パネルの前記胸部は、前記両袖の間で体の胸部を横断して延伸する請求項１に記載のぴったりした衣服。
【請求項６】
前記第１パネルの前記脚部は、それぞれ、完成した衣服において体の内側の膝部分の継ぎ目から始まって外側のふくらはぎ部分で終わるダーツを含む請求項２に記載のぴったりした衣服。
【請求項７】
継ぎ目が、股から内側大腿部および前記膝部分を下り、前記ふくらはぎの後部に沿って足首まで延伸する請求項６に記載のぴったりした衣服。
【請求項８】
前記ダーツは、前記内膝部分から、前記膝の前部を越え、前記ふくらはぎの外側を下りて延伸する請求項７に記載のぴったりした衣服。
【請求項９】
前記袖は、それぞれ肘部分で、前記袖の前腕部が前記袖の上腕部に対して角度を形成するような曲がりを有し、
前記曲がりは、完成した衣服において前記上腕部の上側後方に位置する継ぎ目から始まって前記肘部分に隣接して終わるダーツにより部分的に与えられている請求項４または５に記載のぴったりした衣服。
【請求項１０】
人体の形状にぴったり一致するように構成した脚部を含み、
前記脚部は、それぞれ、布地の１枚のパネルで作られ、完成した衣服において体の内膝部分の継ぎ目から始まって外側ふくらはぎ部分で終わるダーツを含むぴったりした衣服。
【請求項１１】
継ぎ目が、股から内側大腿部および前記膝部分を下り、前記ふくらはぎの後部に沿って足首まで延伸する請求項１０に記載のぴったりした衣服。
【請求項１２】
前記ダーツは、内膝部分から、膝の前部を越え、ふくらはぎの外側を下りて延伸する請求項１０に記載のぴったりした衣服。
【請求項１３】
人体にぴったりと一致し、その肘部分に曲がりを有する一対の袖を有し、
前記曲がりは、前記袖の前腕部が前記袖の上腕部に対して角度を形成するように構成され、
前記袖は、それぞれ、１枚の布地のパネルで作られ、
前記曲がりは、完成した衣服において、前記上腕部の上側後方に位置する継ぎ目から始まって前記肘部分に隣接して終わるダーツにより部分的に与えられているぴったりした衣服。
【請求項１４】
両袖は、衣服の胸部および上背部と共に１つの布地で作られている請求項１３に記載のぴったりした衣服。
【請求項１５】
前記衣服は、ウエットスーツである請求項１に記載のぴったりした衣服。
【請求項１６】
前記衣服は、ウエットスーツである請求項１０に記載のぴったりした衣服。
【請求項１７】
前記衣服は、ウエットスーツである請求項１３に記載のぴったりした衣服。
【請求項１８】
着用者の胴に着用されるのに適合し、
少なくとも着用者のウエスト、脇の下および腕の一部分を覆い、
複数の分離されたパネルと、前記パネルを互いに接合した複数の継ぎ目とからなり、
着用者の腕およびウエストの少なくとも一部分を覆う１枚のパネルで形成した脇の下部分を包含するぴったりした衣服。
【請求項１９】
前記パネルは、着用者の脚の一部分を覆うのにも適合した請求項１８に記載のぴったりした衣服。
【請求項２０】
複数のパネルを継ぎ目で互いに接合してなり、前記継ぎ目は合計長さが３２フィート未満であるウエットスーツ。
【請求項２１】
前記継ぎ目は、合計長さが２７フィート未満である請求項２０に記載のウエットスーツ。
【請求項２２】
前記継ぎ目は、合計長さが２５フィートから２７フィートの間である請求項２０に記載のウエットスーツ。
【請求項２３】
複数の互いに継ぎ合わされたパネルからなるウエットスーツであって、
スーツの脇部分に位置する継ぎ目がなく、脇腹または脇のガセットを含まないウエットスーツ。
【請求項２４】
複数の互いに接合したパネルからなるウエットスーツであって、
首専用のパネルを除いて、スーツの胴部を形成するのに使用する合計のパネル枚数が５枚以下であるウエットスーツ。
【請求項２５】
前記パネル枚数が３枚である請求項２４に記載のウエットスーツ。
【請求項２６】
胴部を有する第１パネルを１枚の布地から切り出すステップを含み、
前記胴部は、着用者の体のウエスト部分を実質的に囲むのに適合し、
前記胴部は、体の脇の下部分に継ぎ目が存在しないように、完成した衣服において体の脇の部分に向かって外側に延伸するように構成した上部を有するぴったりした衣服の製造方法。
【請求項２７】
前記第１パネルは、前記胴部と一体に形成した脚部をも有し、
前記脚部は、それぞれ、少なくとも体の脚の上部を実質的に囲むように構成されている請求項２６に記載の方法。
【請求項２８】
ａ）  共に一体に形成した腕部および上背部を有する第２パネルを１枚の布地から切り出すステップと、
ｂ）  前記腕部が袖を形成し、前記上背部が少なくとも体の背中上部を横断して延伸するように、前記第２パネルを前記第１パネルに接合するステップとをさらに含む請求項２６に記載の方法。
【請求項２９】
ａ）  複数の腕部、複数の上背部および胸部を有する第２パネルを１枚の布地から切り出すステップと、
ｂ）  前記腕部が両袖を形成し、前記上背部が前記両袖の間で体の背中上部を横断してそれらの背骨部分で合わさり、前記胸部が前記両袖の間で体の胸部を横断して延伸するように、前記第２パネルを前記第１パネルに接合するステップとをさらに含む請求項２８に記載の方法。
【国際調査報告】
2006517262.tif 000008